(57)【要約】      （修正有）【課題】初心者でも簡単にキャンドル型照明器具を美しく装飾でき、キャンドル型照明器具の表面の保護も同時に行うことができるキャンドル照明装飾キット及び当該キットで製作したキャンドル型照明器具を提供する。【解決手段】キャンドル型照明器具Ｃの外周を覆う大きさを有する略長方形のシートマット１と、前記シートの表面に表示されたキャンドル型照明器具の外周に巻きつけたときに前記キャンドル型照明器具の先端部分の輪郭に沿うガイド線と、を有する。【選択図】図９
0003218589.tif 000002
【実用新案登録請求の範囲】
【請求項１】
キャンドル型照明器具の外周を覆う大きさを有する略長方形のシートマットと、
前記シートの表面に表示されたキャンドル型照明器具の外周に巻きつけたときに前記キャンドル型照明器具の先端部分の輪郭に沿うガイド線と、
を有することを特徴とするキャンドル型照明器具装飾キット。
【請求項２】
キャンドル型照明器具の外周を覆う大きさを有する略長方形または台形形状のシートと、
前記シートの裏面に剥離可能に貼付され、前記シートをキャンドル型照明器具の外周に巻きつけたときに前記キャンドル型照明器具の先端部分の輪郭に沿って表示されたガイド線と、
前記シートに貼付する装飾物の貼付場所を示したガイドマークと、を印刷したガイドシールと、
を有することを特徴とするキャンドル型照明器具装飾キット。
【請求項３】
上部が斜めにカットされたキャンドル型照明器具の直径と略同じか又は数ミリメートル大きい直径の円柱形状又は円筒形状のキャンドル型本体と、
前記キャンドル型本体の外周に表示された、装飾物を貼付する場所を示すガイドマークと、
前記キャンドル型本体の外周に表示されたキャンドル型照明器具の先端ラインを示すガイド線と、
前記キャンドル型本体の外周に表示された粘着テープを貼付する場を示すテープ貼付部指示線と、を備えたからなることを特徴とするキャンドル型照明器具装飾キット。
【請求項４】
キャンドル型照明器具の外周を覆う大きさを有する略長方形または台形の透明シートからなるシートと、
前記シート部に貼付するリボンや造花その他の装飾物と、
を、有することを特徴とするキャンドル照明用装飾キット。
【請求項５】
ＬＥＤ照明を使用したキャンドル型照明器具と、
前記キャンドル型照明器具の円柱形状の外周を覆う透明シートと、
前記透明シートに貼付されたリボンや造花その他の装飾物と、
を、有することを特徴とする装飾されたキャンドル型照明器具。
【考案の詳細な説明】
【技術分野】
【０００１】
本考案は、キャンドル型照明器具を綺麗にデコレーションするためのキャンドル型照明器具装飾キットに関するものである。
【背景技術】
【０００２】
従来より、キャンドル型照明器具が利用されている。キャンドル型照明器具は、外観は蝋燭を模した円柱形状であって、ＬＥＤ電球が内蔵され、上面には、炎を模したプラスチック片が、取り付けられている。内蔵されたＬＥＤ電球を点灯させると、上面に取り付けられたプラスチック片にＬＥＤ電球の光が反射して、蝋燭の炎のように、あたりを照らす。円柱形状の表面にはロウコーティングがされており、見た目も、触感も、蝋燭に近くなっている。蝋燭は、周囲をほのかに照らし出す、雰囲気のある照明であり、照明用としての用途のほか、部屋のインテリアとしての需要が高い。特許文献１のように、蝋燭を複数並べて装飾を施した装飾用燭台キット等も考案されているので、キャンドル型のＬＥＤ照明器具を蝋燭台の上に設置して使用することもできる。
【先行技術文献】
【特許文献】
【０００３】
【特許文献１】特開２００４−１０３４３４号公報
【考案の概要】
【考案が解決しようとする課題】
【０００４】
しかし、特許文献１の装飾用燭台は、本物の蝋燭を使用するための台であるので、蝋燭の炎の近くには、燃えやすい装飾物を配置しない作りとなっており、シンプルで装飾台としては物足りない。また、蝋燭の表面のロウには、接着剤をつけることができないので、蝋燭表面に装飾を施すことができない。蝋燭の表面をデコレーションするという発想は、これまで、なかった。そこで、この考案の目的は、キャンドル型のＬＥＤ照明器具をさらに綺麗に、お洒落なインテリアとするべく、キャンドル型照明器具の周囲に、美しいデコレーションを施すことが可能な、透明シートと装飾物を用いたキャンドル型照明器具装飾キットを提供する。
【課題を解決するための手段】
【０００５】
この考案のキャンドル型照明器具装飾キットは、キャンドル型照明器具の外周を覆う大きさを有する略長方形のシートと、前記シートの表面に表示されたキャンドル型照明器具の外周に巻きつけたときに前記キャンドル型照明器具の先端部分の輪郭に沿うガイド線と、を有することを特徴とする。
【０００６】
この考案によれば、キャンドル型照明器具の外周を覆う大きさを有する略長方形のシートに、各種装飾物を貼付していけるので、装飾物が、しっかりと接着できる。また、装飾物をキャンドル型照明器具に直接貼らずに済むので、キャンドル型照明器具本体の表面を傷つけず、保護も行うことができ、いつまでも綺麗に使用することができる。ここで、キャンドル型照明器具とは、ＬＥＤ電球その他の電球が内蔵された蝋燭を模した細長い円柱形状の本体と、本体の上に取り付けられた、炎を模したプラスチック片とからなる照明器具をいう。
【０００７】
また、この考案のキャンドル型照明器具装飾キットは、方眼目盛が印刷されていることを特徴とする。
【０００８】
この考案によれば、複数の装飾物を貼付する際に、方眼目盛を参考にして貼付位置を決定できるので、同じ高さに装飾物がくるように貼付する等、整然とした装飾を行うことができ、綺麗な装飾を施すことができる。
【０００９】
また、この考案のキャンドル型照明器具装飾キットは、キャンドル型照明器具の外周を覆う大きさを有する略長方形または台形形状のシートと、前記シートの裏面に剥離可能に重ねられ、前記シートをキャンドル型照明器具の外周に巻きつけたときに前記キャンドル型照明器具の先端部分の輪郭に沿って表示されたガイド線と、前記シートに貼付する装飾物の貼付場所を示したガイドマークと、を印刷したガイドシールと、を有することを特徴とする。
【００１０】
この考案によれば、装飾物を貼付する際は、ガイドシールに印刷されたガイドマークやガイド線を参考に、貼付できるので、整然とした綺麗な装飾を施すことができ、装飾物を貼り終わったら、ガイドシールを剥がして装飾物が貼付されたシートのみにしてキャンドル型照明器具に巻き付ければよいので、簡単に、美しい装飾を施すことができる。なお、装飾物の貼付けは、キャンドル型照明器具にシートを巻きつける前に行っても良いし、巻きつけた後に行っても良いし、巻き付ける前と後、両方行っても良い。
【００１１】
また、この考案のキャンドル型照明器具装飾キットのシートの一辺には、粘着シールを貼付する場所示すテーピングマークが表示されていることを特徴とする。
【００１２】
この考案によれば、シートの両端を貼りあわせて円柱形状にする際、テーピングマークを参考に、テープを貼っていけば良いので、途中でテープがずれたりせず、綺麗な円柱形状にすることができる。
【００１３】
また、この考案のキャンドル型照明器具装飾キットのシートの一辺には、粘着シールが設けられていることを特徴とする。
【００１４】
この考案によれば、シートの両端を貼りあわせて円柱形状にする際、シートの端に設けられている粘着シールによって、貼り合わせれば良いので、シートがズレたりヨレたりせず、綺麗な円柱形状にすることができる。
【００１５】
また、この考案のキャンドル型照明器具装飾キットは、上部が斜めにカットされたキャンドル型照明器具の直径と略同じか又は数ミリメートル大きい直径の円柱形状又は円筒形状のキャンドル型本体と、前記キャンドル型本体の外周に表示された、装飾物を貼付する場所を示すガイドマークと、前記キャンドル型本体の外周に表示されたキャンドル型照明器具の先端ラインを示すガイド線と、前記キャンドル型本体の外周に表示された粘着テープを貼付する場を示すテープ貼付部指示線と、を備えたからなることを特徴とする。
【００１６】
この考案によれば、キャンドル型照明器具が手元にない場合でも、キャンドル型照明器具用の装飾シートを作成することができるので、着せ替え用、次のシーズンに使用する季節を先取りしたキャンドル型照明器具のデコレーションを作りおきしておくことができる。
【００１７】
また、この考案のキャンドル型照明器具装飾キットは、キャンドル型照明器具の外周を覆う大きさを有する略長方形または台形の透明シートからなるシート部と、前記シート部に貼付するリボンや造花その他の装飾物と、を、有することを特徴とする。
【００１８】
この考案によれば、キャンドル型照明器具の外周を覆う大きさを有する略長方形のシートに、各種装飾物を貼付していけるので、装飾物が、しっかりと接着できる。また、装飾物をキャンドル型照明器具に直接貼らずに済むので、キャンドル型照明器具本体の表面を傷つけず、保護も行うことができ、いつまでも綺麗に使用することができる。
【００１９】
また、この考案のキャンドル型照明器具装飾キットは、キャンドル型照明器具の外周を覆う大きさを有する略長方形または台形形状のシートと、前記シート表面に印刷された装飾物の貼付場所を示すガイドマークと、前記シートの端縁の１辺には、細長い長方形状のシートが重ねて設けられ、前記長方形状のシートの前記端縁から遠い側の長辺は前記シートに接着されていて、前記長方形状のシートの前記シートに接する面に粘着剤が塗布されていて、前記長方形のシートと前記シートとの間隙に、前記シートの対向する辺を差し込んで前記粘着剤が塗布された面に接着し固定可能なストッパーと、を有することを特徴とする。
【００２０】
この考案によれば、キャンドル型照明器具に巻きつける透明シートの一端に、前記シートの対向する辺を差し込んで前記粘着剤が塗布された面に接着し固定可能なストッパーが設けられているので、誰でも簡単に、透明シートをキャンドル型照明器具のサイズにぴったりの円筒形状を形成することができる。また、シートの一端を、内側に粘着剤が塗布された２枚のシートからなるストッパーで挟み込んで接着し固定するので、強力に固定でき、位置ずれしたり、外れたりすることがない。
【図面の簡単な説明】
【００２１】
【図１】この考案の実施の形態１にかかるキャンドル型照明器具装飾キットのシートマットの平面図である。
【図２】図１に示したキャンドル型照明器具装飾キットのシートマットの寸法を説明するための参考図である。
【図３】図１に示したキャンドル型照明器具装飾キットの使用方法を説明するための参考図である。
【図４】図１に示したキャンドル型照明器具装飾キットの使用方法を説明するための参考図である。
【図５】図１に示したキャンドル型照明器具装飾キットの使用方法を説明するための参考図である。
【図６】図１に示したキャンドル型照明器具装飾キットの使用方法を説明するための参考図である。
【図７】キャンドル型照明器具を示す斜視図である。
【図８】図１に示したキャンドル型照明器具装飾キットの使用方法を説明するための参考図である。
【図９】図１に示したキャンドル型照明器具装飾キットを使用して装飾したキャンドル型照明器具を示す斜視図である。
【図１０】（ａ）は、この考案の実施の形態２にかかるキャンドル型照明器具装飾キットの透明シートの平面図であり、（ｂ）は、透明シートの断面図である。
【図１１】図１０（ａ）に示したキャンドル型照明器具装飾キットの透明シートの寸法を説明するための参考図である。
【図１２】図１０（ａ）に示したキャンドル型照明器具装飾キットの使用方法を説明するための参考平面図である。
【図１３】（ａ）は、図１０（ａ）に示したキャンドル型照明器具装飾キットの使用方法を説明するための参考低面図であって、（ｂ）は、図１２に示したキャンドル型照明器具装飾キットのＪ−Ｊ断面図である。
【図１４】図１０（ａ）に示したキャンドル型照明器具キットの使用方法を説明するための参考図である。
【図１５】図１０（ａ）に示したキャンドル型照明器具装飾キットを使用して装飾したキャンドル型照明器具を示す斜視図である。
【図１６】この考案の実施の形態３にかかるキャンドル型照明器具装飾キットのキャンドル型本体を示す斜視図である。
【図１７】図１６に示したキャンドル型照明器具キットの使用方法を説明するための参考図である。
【図１８】図１６に示したキャンドル型照明器具キットの使用方法を説明するための参考図である。
【図１９】図１６に示したキャンドル型照明器具キットの使用方法を説明するための参考図である。
【図２０】図１６に示したキャンドル型照明器具キットの使用方法を説明するための参考図である。
【図２１】図１６に示したキャンドル型照明器具キットの使用方法を説明するための参考図である。
【図２２】図１６に示したキャンドル型照明器具装飾キットを使用して完成させた装飾されたキャンドル型照明器具を示す斜視図である。
【図２３】この考案の実施の形態４にかかるキャンドル型照明器具装飾キットのシートと装飾物を示す斜視図である。
【図２４】図２３に示したキャンドル型照明器具キットの使用方法を説明するための参考図である。
【図２５】図２３に示したキャンドル型照明器具キットの使用方法を説明するための参考図である。
【図２６】図２３に示したキャンドル型照明器具キットの使用方法を説明するための参考図である。
【図２７】この考案の実施の形態５にかかるキャンドル型照明器具装飾キットのシート７と方眼目盛筒８を示す斜視図である。
【図２８】（ａ）及び（ｂ）は、図２７に示したキャンドル型照明器具装飾キットの使用方法を説明するための参考図である。
【図２９】図２７に示したキャンドル型照明器具キットの使用方法を説明するための参考図である。
【図３０】図２７に示したキャンドル型照明器具キットの使用方法を説明するための参考図である。
【図３１】図２７に示したキャンドル型照明器具キットの使用方法を説明するための参考図である。
【図３２】図２７に示したキャンドル型照明器具キットを使用して装飾したキャンドル型照明器具を示す斜視図である。
【図３３】この考案の変形例にかかるキャンドル型照明器具装飾キットの透明シート９の平面図である。
【図３４】（ａ）は、図３３に示したキャンドル型照明器具装飾キットの透明シート９の正面図であって、（ｂ）は、図３４（ａ）のＡ部拡大図である。
【図３５】図３３に示したキャンドル型照明器具装飾キットの使用方法を説明するための参考図である。
【図３６】図３３に示したキャンドル型照明器具装飾キットの使用方法を説明するための参考図である。
【図３７】図３６に示したキャンドル型照明器具装飾キットの使用方法を説明するための参考断面図である。
【図３８】図３３に示したキャンドル型照明器具キットを使用して装飾したキャンドル型照明器具を示す斜視図である。
【考案を実施するための形態】
【００２２】
以下、本考案の実施の形態について、図面を示しながら詳細に説明する。
（実施の形態１）
【００２３】
図１は、この考案の実施の形態１にかかるキャンドル型照明器具装飾キット１００のシートマットの平面図である。図２は、図１に示したキャンドル型照明器具装飾キット１００のシートマット１の寸法を説明するための参考図である。
【００２４】
図１に示すように、この考案の実施の形態１にかかるキャンドル型照明器具装飾キット１００は、表面に方眼目盛１４とガイド線１２とテープ貼付部支持線１５が印刷されたシート形状のシートマット１からなる。
【００２５】
シートマット１は、ゴムやシリコン素材からなるシート形状のマットである。プラスチック樹脂や厚紙で形成しても良い。シートマット１の上で、装飾用の透明フィルムやシートをカッターで切る等の作業をするため、シートマット１は、カッターを上から当ててもシートが切断されてしまわないよう、ある程度の厚みと強度を持ったものが適している。プラスチック樹脂の平板の上にゴムシートを貼り付けたものを用いても良い。
【００２６】
シートマット１の表面には、方眼目盛１４が印刷されている。方眼目盛１４は、装飾物を貼っていく際の目印となる。また、キャンドル型照明器具Ｃの装飾としてリボンやレースを貼ることもあるが、方眼目盛１４が設けられていることによって、真っ直ぐ綺麗に貼ることができる。方眼目盛１４の目盛りは、１センチメートル単位でも良いし、１ミリメートル単位でも良いし、細い線と太い線を組み合わせた目盛りでも良い。
【００２７】
シートマット１の表面には、ガイド線１２が印刷されている。ガイド線１２は、シートマット１の表面の右端から左端までをつなぐ一本の曲線である。シートマット１は、キャンドル型照明器具Ｃの外周に巻き付けるためのシートを上に置いて、作業する際の下敷きとして使用するが、ガイド線１２は、シートマット１をキャンドル型照明器具の外周に巻きつけたときに前記キャンドル型照明器具の先端部分の輪郭に沿うような線となっている。ガイド線１２が設けられていることによって、シートマット１の上に透明シート２を乗せて作業する際、どの辺りにキャンドルの先端部分の輪郭がくるか視覚的にわかるので、装飾を貼り付けていきやすい。
【００２８】
図２に示すように、シートマット１は略長方形のシートであるが、上辺と下辺の長さは、わずかに違うため、正確には下辺が上辺よりもわずかに長い台形形状である。キャンドル型照明器具Ｃは、標準的な規格があり、大きさが、定型であるので、キャンドル型照明器具Ｃの装飾用キット１００のシートマット１の大きさも、その定型寸法にあわせてある。
【００２９】
シートマット１の寸法について、上辺ａは２４５ミリメートル、下辺ｂは２４８ミリメートル、高さｃは、１５５ミリメートルである。高さｃの寸法は、使用するキャンドル形照明器具Ｃの高さよりも数センチメートル長い寸法が必要である。この寸法と同じ寸法となるよう、透明シート２を切断すると、キャンドル型照明器具Ｃに巻きつけたときに、ぴったりのサイズのあった装飾シートを作成することができる。
【００３０】
上辺ａは、本実施の形態２では、下辺ｂより３ミリ短くなっているが、使用するキャンドル型照明器具Ｃが上から下まで同じ直径である場合は、上辺ａの寸法は２４８ミリメートルとして、上辺ｂの寸法と同じ寸法にしても良い。上辺ａ及び下辺ｂの寸法は、キャンドル型照明器具の外周寸法に１センチメートルから３センチメートルプラスした寸法とするのが良い。
【００３１】
次に、図３から図９を示しながら、キャンドル型照明器具装飾キット１００の使用方法を説明する。図３から図７は、図１に示したキャンドル型照明器具装飾キット１００の使用方法を説明するための参考図である。図８（ａ）は、キャンドル型照明器具Ｃを示す斜視図であって、（ｂ）は、この考案の実施の形態１にかかるキャンドル型照明器具装飾キット１００の使用方法を説明するための参考図である。図９は、図１に示したキャンドル型照明器具装飾キット１００を使用して装飾したキャンドル型照明器具Ｃを示す斜視図である。
【００３２】
まず最初に、図３に示すように、透明シートＳを用意して、机や作業台の上など、平たい場所に置く。そして、透明シートＳの上に、シートマット１を置く。そして、透明シートＳを、横幅がシートマット１の横幅プラス１センチメートル程度の幅になるように、縦幅がシートマット１より数センチメートル短くなるように、透明シートＳをカットする。それから、図４に示すように、透明シートＳの下に敷いてあったシートマット１を、透明シートＳの上に重ねて、透明シートＳとシートマット１の下端を合わせるようにして重ねておく。
【００３３】
図５に示すように、透明シートＳが上になるようにシートマット１と重ねると、透明シートＳの下に敷いてあるシートマット１の方眼目盛１４とガイド線１２、炎マーク１３及びテープ貼付部指示線１５が透けてみえる状態となる。
【００３４】
透けてみえるシートマット１の方眼目盛１４とガイド線１２、炎マーク１３及びテープ貼付部指示線１５の場所を参考にしながら、透明シートＳに、図６のように、装飾物６を貼り付けて、好みの装飾を完成させていく。装飾物６には、ラインストーン、レース、リボン、造花その他の好みの装飾物６を用いる。
【００３５】
次に、キャンドル型照明器具装飾キット１００を使って作成した装飾物６で装飾した透明シートＳを、キャンドル型照明器具Ｃに巻きつけて固定し、装飾を完成させる手順に移る。
【００３６】
図７は、市販のキャンドル型照明器具Ｃである。実施の形態１で使用するのは、キャンドル下方の外周が２４８ミリメートル、キャンドル上方の外周が２４５ミリメートルであって、高さが約９３ミリメートルのキャンドル型照明器具である。市販のキャンドル型照明器具Ｃには、様々なサイズがあるので、キャンドル型照明器具装飾キット１００は、使用するキャンドル型照明器具Ｃにあわせたサイズのものを使用するようにすると良い。
【００３７】
図８に示すように、装飾物６を貼付した透明シートＳの裏面が、キャンドル型照明器具Ｃにあたるようにして、透明シートＳを、キャンドル型照明器具Ｃに巻きつけていく。巻きつける前に、透明シートＳの右端に、シートマット１のテープ貼付部指示線１５に沿って、テープを片側半分だけ貼った状態にしておく。実施の形態１では、テープ貼付部指示線１５は、右端から約１センチメートルの場所に引かれた線なので、透明シートＳの右端に、テープ貼付部指示線１５に沿って、幅２センチメートルのテープを貼り付けると、ちょうど、片側半分だけ貼付した状態とすることができる。透明シートＳをキャンドル型照明器具Ｃに巻きつけ、右辺と左辺を重ね合わせ、透明シートＳの右端に、片側半分だけ貼ってあったテープの残り半分を透明シートＳの左端に貼付して、透明シートＳを円筒状に、しっかりと固定する。
【００３８】
キャンドル型照明器具Ｃに透明シートＳを固定できたら、あとは、造花やリボン等を、全体のバランスを考えながら配置し接着していき、図９に示すように、キャンドル型照明器具Ｃの装飾を完成させる。キャンドル型照明器具Ｃは、外周表面を蝋でコーティング加工しているものが多く、直接ボンドで装飾物６を接着できないが、このキャンドル型照明器具装飾キット１００を使用すれば、装飾物６の接着が可能で、透明シートＳを、キャンドル型照明器具Ｃに適したサイズにカットでき、装飾物６を配置する場所も方眼目盛１４で確認しやすい。簡単かつ綺麗に、キャンドル型照明器具Ｃの装飾が可能である。
【００３９】
実施の形態１のシートマット１の使用方法について、装飾物を貼り付ける前に、シートマット１の上に透明シートＳを重ねたものを、キャンドル型証明器具Ｃに巻きつけて円筒状にしたあとで、透明シートＳに装飾を施し、装飾物を貼付け終わったら、シートマット１のみ引き抜くようにしても良い。
【００４０】
（実施の形態２）  
次に図１０から図１５を示しながら、実施の形態２のキャンドル型照明器具装飾キット２００を説明する。
【００４１】
図１０（ａ）は、この考案の実施の形態２にかかるキャンドル型照明器具装飾キット２００の透明シートの平面図であり、（ｂ）は、透明シート２の断面図である。図１１から図１２は、図１０（ａ）に示したキャンドル型照明器具装飾キット２００の透明シート２の寸法を説明するための参考図である。図１３（ａ）は、図１０（ａ）に示したキャンドル型照明器具装飾キット２００の使用方法を説明するための参考低面図であって、（ｂ）は、図１２に示したキャンドル型照明器具装飾キット２００のＪ−Ｊ断面図である。図１４は、図１０（ａ）に示したキャンドル型照明器具キット２００の使用方法を説明するための参考図である。図１５は、図１０（ａ）に示したキャンドル型照明器具装飾キット２００を使用して装飾したキャンドル型照明器具Ｃを示す斜視図である。
【００４２】
図１０（ａ）に示すように、キャンドル型照明器具装飾キット２００は、略長方形、正確には下辺が上辺より僅かに長い台形形状の透明シート２、透明シート２の裏面に剥離可能に粘着された、透明シート２と同形状の剥離式ガイドシール３を主に有する。剥離式ガイドシール３の粘着面、すなわち、透明シート２に粘着している側の面には、ガイド線３２、炎マーク３３及びテープ貼付部指示線３５が印刷されている。透明シート２は無色透明なので、剥離式ガイドシール３に印刷されたガイド線３２、炎マーク３３及びテープ貼付部指示線３５は、透けて見えるようになっている。剥離式ガイドシール３は、透明シート２と同形状のほか、右端をすこし短めにして、テープ貼り付け指示線３５のところまでとしても良い。剥離式ガイドシール３を、すこし短めとすると、剥離式ガイドシール３を剥離しやすくなる。
【００４３】
図１０（ｂ）に示すように、キャンドル型照明装飾キット２００は、透明シート２と剥離式ガイドシール３の二層構造になっている。透明シート２と剥離式ガイドシール３の厚みは、略同じか、透明シート２のほうが少し厚くなっている。透明シート２は、無色透明のほか、淡い着色がされた半透明のシートでも良い。剥離式ガイドシール３は、透明でも良いし半透明でも良いし、透過しない着色されたシートでも良い。剥離式ガイドシール３の粘着面には、方眼目盛を設けても良い。
【００４４】
図１１に示すように、シートマット１は略長方形のシートであるが、上辺と下辺の長さは、わずかに違うため、正確には台形形状である。キャンドル型照明器具Ｃは、標準的な規格があり、大きさが、定型であるので、キャンドル型照明器具Ｃの装飾用キット２００の透明シート２の大きさも、その定型寸法にあわせてある。
【００４５】
透明シート２の寸法について、上辺ｅは２４５ミリメートル、下辺ｆは２４８ミリメートル、高さｇは、１５５ミリメートルである。また、ガイド線１２の一番凹んでいる部分からシートマット１の下端までの寸法ｈは９０ミリメートルである。この寸法と同じ寸法となるよう、透明シート２を切断すると、キャンドル型照明器具Ｃに巻きつけたときに、ぴったりのサイズのあった装飾シートを作成することができる。
【００４６】
上辺ｅは、本実施の形態２では、下辺ｆより３ミリ短くなっているが、使用するキャンドル型照明器具Ｃが上から下まで同じ直径のものに使う場合は、上辺ｅの寸法は２４８ミリメートルとして、上辺ｆの寸法と同じ寸法にしても良い。
【００４７】
次に、キャンドル型照明器具用装飾キット２００の使用方法を説明する。まず最初に、図１２に示すように、キャンドル型照明器具用装飾キット２００を、机や作業台の上など、平たい場所に置く。そして、透けてみえる剥離式ガイドシール３のガイド線１２、炎マーク１３及びテープ貼付部指示線１５の場所を参考にしながら、透明シート２に、装飾物６を貼り付けて、好みの装飾を完成させていく。装飾物６には、ラインストーン、レース、リボン、造花その他の好みの装飾物６を用いる。
【００４８】
透明シート２の上に、装飾物６を貼付終わったら、図１２の矢印に示すように、キャンドル型照明器具装飾キット２００を裏返して剥離式ガイドシール３が上面にくるように置く。
【００４９】
図１３（ａ）に示すように、剥離式ガイドシール３を角のところから、そっと剥離し、透明シート２から剥離式ガイドシール３をめくって剥離していく。キャンドル型照明器具用装飾キット２００は、図１３（ｂ）に示すように、二層構造である。下層の剥離式ガイドシール３を剥離すると、装飾物６が上面に貼付された透明シート２が残る。
【００５０】
図１４に示すように、装飾物６を貼付した透明シート２を、キャンドル型照明器Ｃに巻きつけていく。装飾物６を貼付した透明シートＳの裏面が、キャンドル型照明器具Ｃにあたるようにして、巻きつけていく。巻きつける前に、透明シートＳの右端に、シートマット１のテープ貼付部指示線１５に沿って、両面テープを貼っておく。実施の形態２では、テープ貼付部指示線１５は、右端から約１センチメートルの場所に引かれた線なので、透明シート２の右端に、テープ貼付部指示線１５に沿って、幅１センチメートルの両面テープを貼り付ける。透明シート２をキャンドル型照明器具Ｃに巻きつけ、右辺と左辺を重ね合わせ、透明シート２の右端に、貼ってあった両面テープの上に透明シート２の左端を重ねて上から押さえて接着させ、透明シート２を円筒状に、しっかりと固定する。
【００５１】
キャンドル型照明器具Ｃに透明シート２を固定できたら、あとは、造花やリボン等を、全体のバランスを考えながら配置し接着していき、キャンドル型照明器具Ｃの装飾を完成させる。キャンドル型照明器具Ｃは、外周表面を蝋でコーティング加工しているものが多く、直接ボンドで装飾物６を接着できないが、このキャンドル型照明器具装飾キット２００を使用すれば、透明シート２に装飾物６の接着を行うことができ、キャンドル型照明器具Ｃ本体を汚さなくて済む。また、いろいろな装飾を施した透明シート２を複数種類用意することができるので、季節によって、また、シチュエーションによって、日替わりで、等、様々な装飾のキャンドル型照明器具Ｃを楽しむことができる。
【００５２】
（実施の形態３）
次に、図１６から図２２を示しながら、実施の形態３のキャンドル型照明器具装飾キット３００について説明する。図１６は、この考案の実施の形態３にかかるキャンドル型照明器具装飾キット３００のキャンドル型本体４を示す斜視図である。図１７から図２１は、図１６に示したキャンドル型照明器具キット３００の使用方法を説明するための参考図である。図２２は、図１６に示したキャンドル型照明器具装飾キット３００を使用して完成させた装飾されたキャンドル型照明器具Ｃを示す斜視図である。
【００５３】
図１６に示すように、キャンドル型照明器具装飾キット３００は、キャンドル型照明器具Ｃと略同形状、同寸法の、プラスチック製の立体物であるキャンドル型本体４からなる。キャンドル型本体４は、円柱形状であって、上部は、キャンドルの上部を模した形状となっている。キャンドル型本体４の外周表面には、ガイド線４２と方眼目盛４４が表示されている。
【００５４】
市販のキャンドル型照明器具Ｃは、現在、高さの違うものが数種類が販売されている。それら数種類のキャンドル型照明器具Ｃは、それぞれ、略同じ太さであるが、高さが高いもの、高さの低いものがある。実施の形態３のキャンドル型照明器具用装飾キット３００のキャンドル型本体４の高さは、市販のＬサイズのものと同じ高さであり、ガイド線４２は、Ｍサイズ上端輪郭線に沿った線となっている。
【００５５】
実施の形態３のキャンドル型照明器具用装飾キット３００の使用方法を説明する。まず、図１７に示すように、キャンドル型本体４の高さ寸法より、すこし大きな寸法の透明または半透明のシートＳを用意して、キャンドル型本体４に巻きつける。シートＳがキャンドル型本体４を一周したところで、シートＳをカットして、キャンドル型本体４の外周を覆う大きさのシートＳにしたら、図１８に示すように、シートＳの右端と左端をぴったりと合わせて、粘着テープを貼ってシートＳを円筒形状に固定する。
【００５６】
次に、図１９に示すように、シートＳに、装飾物６を貼り付けて、好みの装飾を完成させていく。装飾物６には、ラインストーン、レース、リボン、造花その他の好みの装飾物６を用いる。シートＳは、透明または半透明であるので、キャンドル型本体４の外周表面に印刷された方眼目盛４４が透けてみえるので、それを参考にしながら、装飾物６の位置決めをしていく。丈の低いキャンドル型照明器具Ｃの装飾を作成したい場合は、下側のガイド線４２を参考にしながら装飾物６を貼付していく。
【００５７】
実施の形態３のキャンドル型本体４は、キャンドル型照明器具Ｃと同一形状の立体物であるので、完成したキャンドル型照明器具ＣをイメージしながらシートＳの上に装飾物６を貼付していくことができる。また、方眼目盛４４が透けてみえるので、外周に沿って真っ直ぐ装飾物６を並べて貼付したい場合や、リボンを真っ直ぐに貼付したい場合に便利である。装飾物６を全て貼りつけ終わったら、図２０の矢印方向に、キャンドル型照明器具Ｃから、円筒形状のシートＳを抜く。
【００５８】
それから、図２１に示すように、円筒形状のシートＳを、キャンドル型照明器具Ｃに、そっとかぶせる。キャンドル型照明器具Ｃと略同寸法のキャンドル型本体４に合うようにシートＳを円筒状に形成したので、図２２に示すように、シートＳは、キャンドル型照明器具Ｃにはめることができる。
【００５９】
（実施の形態４）
次に、実施の形態４のキャンドル型照明器具装飾キット４００について説明する。図２３は、この考案の実施の形態４にかかるキャンドル型照明器具装飾キット４００のガイド付きシート７と装飾物６を示す斜視図である。図２４は、図２３に示したキャンドル型照明器具キット４００の使用方法を説明するための参考図である。図２５は、図２３に示したキャンドル型照明器具キット４００の使用方法を説明するための参考図である。
【００６０】
図２３に示すように、実施の形態４のキャンドル型照明器具装飾キット４００は、ガイド線７２と炎マーク７３とテープ貼付部指示線７５が印刷されたガイド付きシート７と装飾物６とのセットである。
【００６１】
ガイド付きシート７は、略長方形状の透明シートであって、ガイド線７２と炎マーク７３とテープ貼付部指示線７５は白色か、または、薄い目立たない色で印刷されている。ガイド線７２は、ガイド付きシート７をキャンドル型照明器具Ｃに巻きつけたときに上端に沿ったラインであり、炎マーク７３は、ガイド付きシート７をキャンドル型照明器具Ｃに巻きつけたときに、キャンドル型照明器具Ｃの照明部分の炎に模したプラスチックチップが、炎マーク７３あたりに見えることを示している。テープ貼付部指示線７５は、ガイド付きシート７を円筒形状に丸めた際に、右端と左端をテープで留める際に、テープ貼付部指示線７５に沿って粘着テープを貼っていけば綺麗に貼付することができるラインである。
【００６２】
実施の形態４のキャンドル型照明器具用装飾キット４００の使用方法を説明する。まず、最初に、図２４に示すように、ガイド付きシート７を用意して、机や作業台の上など、平たい場所に置く。そして、ガイド付きシート７の上面に、装飾物６を貼り付けて、好みの装飾を完成させていく。装飾物６には、ラインストーン、レース、リボン、造花その他の装飾物６を用いる。ガイド付きシート７には、巻きつけたときにキャンドル型照明器具Ｃの上端のラインがガイド線４２として表示されているので、出来上がりを予想しながら、装飾物６を配置していくことができる。炎マーク７３の周囲には、後ろから照らされると光りが綺麗に反射するラインストーンや、光を透過する半透明のシフォンリボン等を配置するとキャンドル型照明器具Ｃにはめて点灯した際に、綺麗な仕上がりとすることができる。
【００６３】
次に、図２５に示すように、装飾物６を貼付したガイド付きシート７の裏面が、キャンドル型照明器具Ｃにあたるようにして、ガイド付きシート７を、キャンドル型照明器具Ｃに巻きつけていく。巻きつける前に、ガイド付きシート７の右端に、ガイド付きシート７のテープ貼付部指示線７５に沿って、両面テープを貼って両面テープの剥離紙を剥離して上面の粘着面を露出させた状態にしておく。ガイド付きシート７をキャンドル型照明器具Ｃに巻きつけ、右辺と左辺を重ね合わせ、ガイド付きシート７の左端を、両面テープが貼られた右端の上に重ねて上から押さえて接着させ、ガイド付きシート７を円筒状する。
【００６４】
キャンドル型照明器具Ｃにガイド付きシート７を固定できたら、あとは、図２６に示すように、造花やリボン等を、全体のバランスを考えながら配置し接着していき、キャンドル型照明器具Ｃの装飾を完成させる。キャンドル型照明器具Ｃは、外周表面を蝋でコーティング加工しているものが多く、直接ボンドで装飾物６を接着できないが、このキャンドル型照明器具装飾キット４００を使用すれば、装飾物６の接着も可能で、装飾物６を配置する場所もガイド線７２があり配置しやすい。簡単かつ綺麗に、キャンドル型照明器具Ｃの装飾が可能である。ガイド付きシート７には、薄い色で方眼目盛を印刷したり、目立たないドットを印刷して、位置決めしやすいようにすると良い。
【００６５】
（実施の形態５）
次に、図２７から図３２を示しながら、実施の形態５のキャンドル型照明器具装飾キット５００について、説明する。
【００６６】
図２７は、この考案の実施の形態５にかかるキャンドル型照明器具装飾キット５００のシート７と方眼目盛筒８を示す斜視図である。図２８から図３１は、図２７に示したキャンドル型照明器具キット５００の使用方法を説明するための参考図である。図３２は、図２７に示したキャンドル型照明器具キット５００を使用して装飾したキャンドル型照明器具を示す斜視図である。
【００６７】
図２７に示すように、この考案の実施の形態５にかかるキャンドル型照明器具装飾キット５００は、略長方形のシート形状のシート５と、方眼目盛が表面に印刷された円筒形状の方眼目盛筒８を、主に有する。
【００６８】
シート５は、略長方形の透明なシートであって、素材は樹脂その他の弾力性を有する素材からなる。リボンやビーズその他の装飾物を表面に貼り付けて使用するため、接着剤がつきやすい素材が良い。また、最終的には、キャンドル型照明器具Ｃの外周に沿うよう円筒形状にするため、丸くまるめられる弾力性のある素材が良い。
【００６９】
方眼目盛筒８は、表面に方眼目盛８４が印刷された円筒形状物である。素材は、シート５と同じ樹脂素材のシートを丸めて筒状にして作成しても良いし、また、プラスチック成型で、円筒形状にしたものでも良い。方眼目盛筒８の表面には、方眼目盛８４のほか、キャンドル型照明器具Ｃの上端にあたるラインを示すガイド線８２が設けられている。キャンドル型照明器具Ｃには、背の高いサイズと背の低いサイズとあるので、それぞれのサイズのキャンドル型照明器具Ｃの上端のラインであるガイド線８２が、方眼目盛筒８に印刷されている。
【００７０】
次に、図２８から図３１を示しながら、キャンドル型照明器具装飾キット５００の使用方法を説明する。図２８から図３１は、キャンドル型照明器具装飾キット５００の使用方法を説明するための参考図である。
【００７１】
まず最初に、図２８（ａ）に示すように、キャンドル型照明器具Ｃに、円筒形状の方眼目盛筒８をすっぽりとかぶせる。それから、方眼目盛筒８をかぶせたキャンドル型照明器具Ｃに、シート５を巻き付け、テープ貼付部指示線５５に沿って粘着テープを貼って、シート５の両端を貼りあわせ、円筒形状にする。
【００７２】
方眼目盛筒８は、シート５を円筒形状にしたあとで、シート５とキャンドル型照明器具Ｃとの間隙に差し入れるようにしても良い。
【００７３】
図２９に示すように、キャンドル型照明器具Ｃに方眼目盛筒８とシート５をセットできたら、シート５の表面に、透けてみえる方眼目盛筒８の方眼目盛８４とガイド線８２を参考にしながら、シート５に、図３０のように、装飾物６を貼り付けて、好みの装飾を完成させていく。装飾物６には、ラインストーン、レース、リボン、造花その他の好みの装飾物６を用いる。
【００７４】
シート５に装飾物６を貼付して装飾を完成させたら、図３１に示すように、シート５とキャンドル型照明器具Ｃとの間隙から、方眼目盛筒８を、そっと引き出して抜く。このとき、抜き出しやすいように、方眼目盛筒８には、上端に、小さなつまみを設けておいても良いし、粘着テープを上端に張って、そこを引っ張って抜くようにしても良い。
【００７５】
このような手順で、キャンドル型照明器具装飾キット５００を用いれば、図３２に示すような、綺麗に装飾されたキャンドル型照明器具を、誰でも、簡単に作成することができる。
【００７６】
（変形例）
次に、本考案の変形例について説明する。図３３は、この考案の変形例にかかるキャンドル型照明器具装飾キットの透明シート９の平面図である。図３４（ａ）は、図３３に示したキャンドル型照明器具装飾キットの透明シート９の正面図であって、（ｂ）は、図３４（ａ）のＡ部拡大図である。
【００７７】
図３３に示すように、透明シート９は、実施の形態４のガイド付シート７と同様に、略長方形状の透明シートであって、ガイド線９２と炎マーク９３は白色か、または、薄い目立たない色で印刷されている。ガイド線９２は、透明シート９をキャンドル型照明器具Ｃに巻きつけたときに上端に沿ったラインであり、炎マーク９３は、透明シート９をキャンドル型照明器具Ｃに巻きつけたときに、キャンドル型照明器具Ｃの照明部分の炎に模したプラスチックチップが、炎マーク９３あたりに見えることを示している。
【００７８】
実施の形態４のガイドシート７と違うのは、テープ貼付部指示線７５が設けられている部分が、ストッパー９６となっている部分である。図３４（ａ）に示すように、ストッパー９６は、透明シート９を丸めて円筒形状にする際に、貼り合わせる透明シート９の右端と左端のどちらか一端に設けられている。ストッパー９６は、透明シート９の右端に、端縁に沿って、細長い略長方形状、換言すると幅１センチメートルから２センチメートルまでのテープ形状のシートを重ねて設けた構造で、前記長方形状（テープ形状）の長辺のうち、端縁に遠い側の長辺９６ｂは、透明シート９に接着されている。
【００７９】
図３４（ｂ）に示すように、透明シート９とストッパー９６との間隙は、透明シート９の左端を挿入しやすいよう、透明シート９の厚み程度のスペースを設ける必要がある。ストッパー９６の長辺９６ｂの下に、細長く切った透明シート９と同程度の厚みのシートの両面に接着剤を塗布して透明シート９とストッパー９６とを貼り合わせるか、または、ジェル上の接着剤等、厚めに塗布して、シートの厚み程度の高さを担保できる接着剤で、透明シート９とストッパー９６とを貼り合わせるとよい。
【００８０】
ストッパー９６の裏面、すなわち、透明シート９と接する面には、接着剤９６ａが塗布され粘着面となっている。接着剤９６ａの上には、剥離紙を設けておいて、使用する際に、剥離紙をはがし、接着剤９６ａを露出させて使用するようにしても良いし、接着力の弱めの接着剤、上から押し付ければ接着力を発揮する程度の弱めの接着剤を塗布しておいて、剥離紙を省略してもよい。また、ストッパー９６の裏面だけでなく、透明シート９のほうにも粘着面を設けてもよい。
【００８１】
次に、図３５から図３８を示しながら、本考案の変形例のキャンドル型照明器具装飾キット６００の使用方法を説明する。図３５及び図３６は、図３３に示したキャンドル型照明器具装飾キットの使用方法を説明するための参考図である。図３７は、図３６に示したキャンドル型照明器具装飾キットの使用方法を説明するための参考断面図である。図３８は、図３３に示したキャンドル型照明器具キットを使用して装飾したキャンドル型照明器具を示す斜視図である。
【００８２】
まず、最初に、図３５に示すように、透明シート９に、ビーズやリボン、レース等、装飾物６を貼付していく。装飾物６は、透明シート９に印刷されたガイド線９２と炎マーク９３の位置を参考にしながら貼付していく。
【００８３】
装飾物６を貼付したら、図３６に示すように、キャンドル型照明器具Ｃに、透明シート９を巻きつけて、透明シート９の左端を右端に設けられているストッパー９６の中に挿入して、上から押さえて接着剤９６ａを、透明シート９の左端に押し付けるようにして接着し、透明シート９を円筒形状にする。
【００８４】
図３７（ａ）及び（ｂ）に示すように、透明シート９の右端に設けられたストッパー９６には、透明シート９の左端を挿入して、接着剤９６ａによって、透明シート９の右端と左端を接着固定し、透明シート９を円筒形状にする。ストッパー９６が設けられていることによって、右端と左端を、粘着テープで貼り合わせる必要がなく、粘着テープを切る手間がなく、また、貼付する際に、位置ずれすることもない。誰でも簡単に、図３８に示すような、キャンドル型照明器具Ｃの外周サイズに合った綺麗な円筒形状を作ることができる。
【００８５】
以上本考案のキャンドル型照明器具装飾キットについて詳細に説明したが、本考案は、上記実施形態に限定されるものではなく、本考案の要旨を逸脱しない範囲において、各種の改良や変更を行ってもよい。
【００８６】
本実施の形態では、１枚のシートに装飾物を貼付してキャンドル型照明器具Ｃの装飾を行う方法を説明したが、キャンドル型照明器具Ｃの装飾には、複数のシートを重ね合わせたり、シートの間隙にリボンを挟み込んだりして、自由に装飾物とシートを組み合わせて装飾することもできる。キャンドル型照明器具Ｃに複数のシートを重ねて巻き付け、シートとシートの間隙にワイヤーやテグスを使用するようにすると、ワイヤーやテグスが、キャンドル型照明器具Ｃに直接触れずに済むので、キャンドル型照明器具Ｃの表面の蝋コーティングを傷つけない。キャンドル型照明器具Ｃに巻き付ける場合、外側のシートの横幅は、内側のシートの横幅よりも若干長くすると良い。
【００８７】
本実施の形態では、シートやシートマットに、方眼目盛やガイド線を表示する形態としたが、方眼目盛やガイド線のほか、キャンドルデコレーションの装飾図を示す図面、装飾物を貼付する場所を示すマークや、装飾する際に参考にするマップを表示しても良い。また、線に沿ってカットすることにより、円筒形状の上に乗せる屋根部分を作成可能な展開図線を表示しても良い。さらに、シートやシートマットの端に、ストッパーやクリップその他の固定具を設けて、前記図面や型紙やシートや紙を、重ねて固定できるようにしても良い。
【符号の説明】
【００８８】
１００，２００，３００，４００，５００，６００  キャンドル型照明器具装飾キット
１          シートマット
１２              ガイド線
１３              炎マーク
１４             方眼目盛
１５              テープ貼付部指示線
２           透明シート
３           剥離式ガイドシール
３２             ガイド線
３３              炎マーク
３５             テープ貼付部指示線
４           キャンドル型本体
４２  ガイド線
４４  方眼目盛
５         シート
５５  テープ貼付部指示線
６         装飾物
７          ガイド付きシート
７２              ガイド線
７３           炎マーク
７５              テープ貼付部指示線
８      方眼目盛筒
８２    ガイド線
８４    方眼目盛
９          ガイド付きシート
９２              ガイド線
９３           炎マーク
９６              ストッパー
９６ａ  粘着剤
Ｓ           透明シート
Ｃ         キャンドル型照明器具
【図１】
0003218589.tif 000003
【図２】
0003218589.tif 000004
【図３】
0003218589.tif 000005
【図４】
0003218589.tif 000006
【図５】
0003218589.tif 000007
【図６】
0003218589.tif 000008
【図７】
0003218589.tif 000009
【図８】
0003218589.tif 000010
【図９】
0003218589.tif 000011
【図１０】
0003218589.tif 000012
【図１１】
0003218589.tif 000013
【図１２】
0003218589.tif 000014
【図１３】
0003218589.tif 000015
【図１４】
0003218589.tif 000016
【図１５】
0003218589.tif 000017
【図１６】
0003218589.tif 000018
【図１７】
0003218589.tif 000019
【図１８】
0003218589.tif 000020
【図１９】
0003218589.tif 000021
【図２０】
0003218589.tif 000022
【図２１】
0003218589.tif 000023
【図２２】
0003218589.tif 000024
【図２３】
0003218589.tif 000025
【図２４】
0003218589.tif 000026
【図２５】
0003218589.tif 000027
【図２６】
0003218589.tif 000028
【図２７】
0003218589.tif 000029
【図２８】
0003218589.tif 000030
【図２９】
0003218589.tif 000031
【図３０】
0003218589.tif 000032
【図３１】
0003218589.tif 000033
【図３２】
0003218589.tif 000034
【図３３】
0003218589.tif 000035
【図３４】
0003218589.tif 000036
【図３５】
0003218589.tif 000037
【図３６】
0003218589.tif 000038
【図３７】
0003218589.tif 000039
【図３８】
0003218589.tif 000040